(57)【要約】【課題】  情報漏洩の危険性のある印刷済み用紙に対して、汎用複写機で複写するだけで、印刷済み用紙の内容を判読不能にすることができる、簡易で安価な、かつ、インク使用量の低減を図ることができる機密処理用シートの提供。【解決手段】  その手段とは、本発明によるハッチング図形パターンシートを汎用複写機の原稿台ガラス面の位置にセットして、機密処理したい印刷済み用紙面を複写機の手差しトレーから手動で給紙するか、又自動給紙用紙カセットに印刷済み普通紙をセットして複写の要領で上書きすると、本発明図形パターンと印刷済み文章とが複雑に重ねて印刷形成される事で機密部分含めた紙面全面の印刷済み文章が判読不能及び解読困難となった用紙を提供でき、かつ機密処理済みの白紙である裏面の再利用を可能とすることである。【選択図】図１
2009265588.tif 000002
【特許請求の範囲】
【請求項１】
内部にハッチングを含む図形を配列させたパターンを用いて印刷済み用紙に上書きすることで、印刷済み用紙の機密事項を判断不能、判読困難とする機密処理用シート。
【請求項２】
図形の内部のハッチングが斜線、角網目、斜線格子等で構成され、その線の太さを０．２５ｍｍ〜０．４０ｍｍとし、互いの間隔を０．５０ｍｍ〜２．００ｍｍとすることを特徴とする請求項第１項記載の図形。
【請求項３】
図形外部の形状が円形、及び三角形、四角形、などの幾何学図形で構成され、幅ならびに高さが５．０ｍｍ〜１０．０ｍｍである請求項１に記載の図形。
【請求項４】
図形内部のハッチングを斜線格子とし、その線の太さを０．２５ｍｍ〜０．４０ｍｍとしたと共に、図形外部の形状を円形とし、その幅ならびに高さが５．０ｍｍ〜１０．０ｍｍとした図形を、接しさせて規則的に配列した請求項１記載の機密処理用シート。
【発明の詳細な説明】
【技術分野】
【０００１】  本発明は印刷済み紙面の内容を判読不能とする機密処理用シートに関するものである。
【背景技術】
【０００２】  近年パソコン、プリンター、複写機、ＦＡＸ等で使用された紙の需要は益々増加の傾向にあり、これらに使用する印刷済み普通紙の再利用の方法が求められているが。実状は燃えるゴミとして処理する手段、シュレッダーでの廃棄処理手段、専門業者へ依頼して廃棄処理する方法によっており、一部使用済み用紙裏面をメモ紙に再利用する手段としている。【０００３】  作像済み普通紙を廃棄時の漏洩防止のために機密部に黒ベタパターンを重ねて印刷することで当核部分を判断不能、判読困難とする作像済み用紙処理装置が開示されておる。  特許文献１参照【０００４】  従来各印刷機業界で印刷済み面を機密度によりパターン処理か黒ベタ処理かを選択して、画像形成装置などで機密処理後印刷済み普通紙を再利用とする装置が開示されている。  特許文献２、３参照
【特許文献１】  特開２００１−２２８７５１
【特許文献２】  特開２００６−１２６４８８
【特許文献３】  特開２００２−３２３８３０
【特許文献４】  特開２００４−２７２１７７
【特許文献５】  特開２００６−２８９８８２
【特許文献６】  特開２００７−２７１９６５
【発明の開示】
【発明が解決しょうとする課題】
【０００５】  機密情報も含まれ手違いで情報漏洩の危険性もあり大量に発生する印刷済み普通紙の処理方法及び利用方法として後記手段が一般的である。
【０００６】  燃えるゴミとして処分すること。しかし燃えるゴミとして処理する方法は、最も簡単な方法であるが、二酸化炭素が排出されることや、費用がかかること、完全な機密保持は不可能である等の課題がある。
【０００７】  事務所の片隅に山積みにして置いてある。しかし個人情報等も含まれる書類の、漏洩の危険も大きく、さらに置き場所確保が難易である。
【０００８】  外部業者に有料依頼処理すること。しかし機密情報も含まれている可能性のある印刷済普通紙は機密情報漏洩の危険性があり、取り扱いに細心の注意が必要である。
【０００９】  再利用の目的で社内でのみ一部、メモ紙として使うこと。しかし中には機密情報も含まれている物もあり手違いで外部情報漏洩の危険性もあった。
【００１０】  シュレッダー等の装置で廃棄処理すること。しかし裏面白紙のままシュレッダーでの廃棄処理される為、資源有効利用されておらず、紙の有効利用を促進する必要がある。
【００１１】  近年シュレッダー等の処理機械が普及したので印刷された普通紙は、各事業所で独自に裁断処理可能となり外部漏洩は以前より少なくなった、しかしシュレッダー処理された後のゴミの増加が課題となっている。
【００１２】  近年資源の有効利用、経費削減の観点から印刷済み普通紙の、白紙である裏面を再利用することが行われるようになってきた、そのための漏洩防止策に印刷済み普通紙の個人情報及び機密情報の内容を情報としての機能不能とする処置が必要とされており、簡易で安価な方法での機密処理が求められている。
【００１３】  従来開示されておる画像形成処理装置では黒ベタ処理が基本であるが、課題として、インク消費が多いこと、又印刷済み面に機密度によりパターン処理か黒ベタ処理かの選択を特定するためのマーク、バーコード、磁気情報、パンチ孔等の符号を機密処理する前に紙面又余白部分にユーザーが記入又は印刷しておく手順が必要である事、また印及び符号を読み取る機能と機密部分を読み取られるための機能装置を必要とすること、さらに特殊装置な為高価で一般的な事業所で使用出来ず十分に普及してないという現状がある。
【課題を解決するための手段】
【００１４】  上記課題について検討した結果、機密保持効果とインク消費量の低減の課題を同時に解決する簡易で安価な方法を見出すに至った。すなわち、本願の発明は以下の通りである。
【００１５】  従来個人情報及び機密情報の漏洩防止策には印刷された文面の機密部分と思われる部分にハッチング文様を重ねて印刷することで解読不能となることが知られており、さらに効果を得るには文字に対して斜めハッチングでかつ、右、左に描かれた斜線格子でハッチングすれば、より効果となることは容易に考えられる。
【００１６】  上記斜線格子でのハッチングとしては、線幅（太さ）は０．２５ｍｍ〜０．４ｍｍかつ、線と線の間隔は０．５ｍｍ〜２．０ｍｍを手段とすることで従来の斜線格子でのハッチングより、さらなる効果的が得られる。
【００１７】  印刷済み文字は印字により層と成っているので単純形成の黒ベタ、だけの単純処理では以前印字された文字が透けて見える課題もあり、その解決には文字周辺を前記ハッチング方法で複雑に絡めることで、さらなる効果が得られる。
【００１８】  本発明は上記斜線格子ハッチングを図形外部として幅ならび高さが５ｍｍ〜１０ｍｍの円などを用いた図形の中に構成することで、図形を複雑化とする効果が得られ、かつ、円図形で互いに接した連続したパターンで文字列を覆うことで図形と図形との間に空間も確保され印刷時のインク消費削減と機密処理を効果的に改良した。
【００１９】  本発明の改良ハッチング図形は図形外部として円形（三角形、四角形もある）などの幾何学図形を用い、その中に斜線格子（多重円、多重四角、多重三角、漢字等でも良い）などでハッチングした図形を、基本図形とする。
【００２０】  本発明は上記ハッチング基本図形をシート面に連続転写したパターンシートを作成して、それを原稿とした機密処理用シート紙とする。
【００２１】  上記機密処理用シート紙を用いて、汎用複写機、プリンターにより、機密保持が必要な紙面全面に複写することで、判読不能、解読困難の効果があり漏洩防止策となる。
【００２２】  上記手段により難易であった機密度の選択、機密処理部分の判断や設定する手間も不要とし、さらに文字位置を判断する読み取り装置なども本発明は必要としないことで汎用複写機での機密処理が可能となり安価で簡易な方法での機密処理を提供可能とする。
【発明の効果】
【００２３】  本発明による機密処理用シート使用することによって、機密保持効果とインク消費量の低減を同時に図ることができる。
【００２４】  従来の装置は大型で複雑化しており、エネルギー消費量も大きいのに対して、本処理シートを用いることによって、一般的な事業所で使用している複写機、プリンター、ＦＡＸのコピー機能等をもった機器を利用できるため、簡易で安価な手段での機密処理を提供することができる。
【００２５】  印刷済み普通紙の内容が解読困難、判読不能となることで裏面の再利用が促進され、社内（内部）での連絡用紙、コピー紙、メモ紙、メール紙、プリンター紙、ＦＡＸ紙等に広く活用可能であり、今一度再利用（リユース）することで、資源有効利用が期待される。
【００２６】  印刷された普通紙も、安心して外部処理業者に依頼でき、かつ、再利用することで外部廃棄処理回数半減と成り、外部処理料金削減とゴミの量削減にも多大なる貢献となる。
【発明を実施するための最良の形態】
【００２７】  個人情報、機密情報のある印刷済み普通紙の文章に、図形などにハッチングで構成されたパターンを汎用複写機等の装置を利用して再度上書きすることで機密処理を実現した。
【実施例１】
【００２８】  図１は印刷済み普通紙に機密処理するための手段であるハッチング図形パターン３を応用した全面用処理パターン実寸部分１と全面用処理縮小パターン全体２である。【００２９】  上記処理原版１になる２を複写の要領で汎用複写機で印刷済み用紙面に複写したことで印刷済み面に書かれている文章が判読不能、解読困難となった印刷済み面全面４であり、５はその半面の実施例である。
【実施例２】
【００３０】  機密処理手段として本考案の全面用パターンシート原版１になる２を汎用複写機ガラス面にセットして印刷済み紙面に複写の要領でその図形パターンを原稿として複写することで文字とパターン図柄が重なった状態で印刷されることで複雑な線の絡みにより印刷済み文字が判読不能、解読困難となり漏洩防止策に効果が得られる。
【産業上の利用可能性】
【００３１】  本発明は一般的な複写機、プリンター等を利用することで、簡易に個人情報及び機密情報処理が可能となり従来の汎用複写機、プリンター等の機能範囲が拡大され利用効果が期待される。【００３２】  印刷済み文章の機密処理は、漢字、ひらがな、等の日本語及び中国語、韓国語、英字等の外国語、数字等に広範囲に可能であり、上書きすることを手段としいるので、汎用複写機、プリンター等の販路普及促進に期待される。【００３３】  簡易で安価な手段で個人情報及び機密情報処理が可能とする事で印刷済み普通紙の機密保持が促進され、その紙を再利用することでコピー紙等の紙などの使用削減に繋がり原料とする森林伐採での環境破壊を阻止して地球温暖化防止と地球環境再生に期待される。
【図面の簡単な説明】
【００３４】
【図１】機密処理シート原版全面用実寸部分１と、全面処理全体縮小版２であり、そのハッチング図形パターン種類３である。
【図２】印刷済み文章（＊＊＊＊＊）を全面４、半面５、に機密処理した実施例である。
【符号の説明】
【００３５】１  全面処理実寸パターンシート一部分
２  全面処理パターンシート全体図
３  ハッチング図形
４  印刷済み面（＊＊＊＊＊）パターン処理全面実施例
５  印刷済み面（＊＊＊＊＊）パターン処理半面実施例
【図１】
2009265588.tif 000003
【図２】
2009265588.tif 000004